(57)【特許請求の範囲】
【請求項１】
内容物が収容された容器本体の口部に、上方付勢状態で下方移動自在に配設されるとともに、前方に向けて開口する吐出孔が形成された吐出ヘッドを有するポンプと、
前記ポンプを前記容器本体の口部に装着する装着キャップと、
前記装着キャップに立設された支持部と、
前記支持部に回転軸回りに回動自在に配設され、前記吐出ヘッドを押下げる押下部材と、を備え、
前記押下部材を前記回転軸回りに下方に向けて回転させることにより、前記吐出ヘッドを下方移動させ、前記内容物を前記吐出孔から吐出させる吐出器であって、
前記吐出ヘッドは、上方付勢状態で下方移動自在に配設されるとともに、前記装着キャップから上方に向けて突出するステムと、前記吐出孔が形成されたノズル筒部と、を備え、
前記装着キャップには、上端縁に下方に向けて窪む挿通孔が形成された規制突起が備えられ、
前記吐出ヘッドのうち前記装着キャップから上方に突出した部分に、前記ステムの中心軸線回りに回転自在に外嵌された外嵌筒部、および前記外嵌筒部から径方向の外側に向けて突出し前記挿通孔内に挿通可能な係止突部を有するストッパーを備え、
前記ストッパーは、前記係止突部が前記規制突起の上端縁に上方から当接若しくは近接する規制位置と、前記係止突部が前記挿通孔に前記挿通孔の上方から対向する規制解除位置と、の間を前記中心軸線回りに回転自在に配設されていることを特徴とする吐出器。
【請求項２】
前記規制突起の上端縁には、
前記ストッパーが前記規制位置側から前記規制解除位置に到達するときに、前記係止突部が乗り越える第１乗り越え突起と、
前記ストッパーが前記規制解除位置に位置するときに、前記係止突部が前記中心軸線回りにおける前記第１乗り越え突起の、前記係止突部を挟んだ反対側から支持される第１支持突起と、が備えられることを特徴とする請求項１に記載の吐出器。
【請求項３】
前記規制突起の上端縁には、
前記ストッパーが前記規制解除位置側から前記規制位置に到達するときに、前記係止突部が乗り越える第２乗り越え突起と、
前記ストッパーが前記規制位置に位置するときに、前記係止突部が前記中心軸線回りにおける前記第２乗り越え突起の、前記係止突部を挟んだ反対側から支持される第２支持突起と、が備えられることを特徴とする請求項１または２に記載の吐出器。
【請求項４】
前記ノズル筒部は、前記ステム側から前方に向けて突出し、その前端部に前記吐出孔が形成されていることを特徴とする請求項１ないし３のいずれか１項に記載の吐出器。
【発明の詳細な説明】
【技術分野】
【０００１】
本発明は、吐出器に関する。
【背景技術】
【０００２】
従来から、例えば下記特許文献１に示される吐出器が知られている。
この吐出器は、内容物が収容された容器本体の口部に、上方付勢状態で下方移動自在に配設されると共に前方に向けて開口する内容物の吐出孔が形成された吐出ヘッドを有するポンプと、ポンプを容器本体の口部に装着する装着キャップと、装着キャップの後部に立設された支持部と、支持部に回転軸回りに回転自在に配設され、吐出ヘッドを押下げる押下部材と、を備えている。
このように構成されているので、内容物を吐出する場合には、押下部材を回転軸回りに下方に向けて回転させることで、吐出ヘッドを下方移動させる。これにより、吐出孔を通じて内容物を外部に吐出することができる。
【先行技術文献】
【特許文献】
【０００３】
【特許文献１】特開２００８−３０７９８号公報
【発明の概要】
【発明が解決しようとする課題】
【０００４】
ところで、この種の吐出器では一般的に、不使用時に内容物が外部に吐出されないようにするため、ストッパーを備えている。従来のストッパーは、支持部と押下部材との間に挟まることで、押下部材が回転軸回りに下方に向けて回転しないようにしている。しかしながら、この構成では、押下部材ではなく吐出ノズル単体に力が加わると、ある程度吐出ノズルが押下がってしまい、内容物が吐出されてしまうおそれがあった。
【０００５】
本発明は、このような事情に鑑みてなされたものであって、その目的は、不使用時において内容物の吐出をより確実に防止することができる吐出器を提供することである。
【課題を解決するための手段】
【０００６】
上記課題を解決するために、本発明の吐出器は、内容物が収容された容器本体の口部に、上方付勢状態で下方移動自在に配設されるとともに、前方に向けて開口する吐出孔が形成された吐出ヘッドを有するポンプと、前記ポンプを前記容器本体の口部に装着する装着キャップと、前記装着キャップに立設された支持部と、前記支持部に回転軸回りに回動自在に配設され、前記吐出ヘッドを押下げる押下部材と、を備え、前記押下部材を前記回転軸回りに下方に向けて回転させることにより、前記吐出ヘッドを下方移動させ、前記内容物を前記吐出孔から吐出させる吐出器であって、前記吐出ヘッドは、上方付勢状態で下方移動自在に配設されるとともに、前記装着キャップから上方に向けて突出するステムと、前記吐出孔が形成されたノズル筒部と、を備え、前記装着キャップには、上端縁に下方に向けて窪む挿通孔が形成された規制突起が備えられ、前記吐出ヘッドのうち前記装着キャップから上方に突出した部分に、前記ステムの中心軸線回りに回転自在に外嵌された外嵌筒部、および前記外嵌筒部から径方向の外側に向けて突出し前記挿通孔内に挿通可能な係止突部を有するストッパーを備え、前記ストッパーは、前記係止突部が前記規制突起の上端縁に上方から当接若しくは近接する規制位置と、前記係止突部が前記挿通孔に前記挿通孔の上方から対向する規制解除位置と、の間を前記中心軸線回りに回転自在に配設されていることを特徴とする。
【０００７】
本発明の吐出器によれば、ストッパーを規制位置に移動させると、係止突部が規制突起の上端縁に当接若しくは近接するので、ストッパーの下方移動が規制される。これにより、ストッパーが外嵌されている吐出ヘッドの下方移動も直接規制されるため、吐出ヘッド単体に力が加わっても内容物が吐出されることを抑制できる。一方、ストッパーを規制解除位置に移動させると、係止突部が挿通孔内に挿通可能となり、ストッパーおよび吐出ヘッドの下方移動が許容され、通常通りの使用が可能となる。また、ストッパーが吐出ヘッドに対してステムの中心軸線回りに回転自在に配設されているので、コンパクトかつ操作性に優れたストッパーとすることができる。
さらに、ストッパーが吐出ヘッドに外嵌されているため、ストッパーの吐出ヘッドに対する上下動が抑えられる。従って、ストッパーが吐出ヘッドに対して上方に移動することによる、ストッパーが規制位置にある場合でも吐出ヘッドが下方に移動可能となって吐出孔から内容物が吐出されてしまう現象を抑止することができる。
【０００８】
ここで、前記規制突起の上端縁には、前記ストッパーが前記規制位置側から前記規制解除位置に到達するときに、前記係止突部が乗り越える第１乗り越え突起と、前記ストッパーが前記規制解除位置に位置するときに、前記係止突部が前記中心軸線回りにおける前記第１乗り越え突起の前記係止突部を挟んだ反対側から支持される第１支持突起と、が備えられていてもよい。
【０００９】
この場合、ストッパーを規制位置側から規制解除位置に到達させると、係止突部が第１乗り越え突起を乗り越えるため、使用者にストッパーが規制解除位置に到達したことを認識させやすくすることができるとともに、係止突部が第１支持突起に支持されるため、ストッパーが規制解除位置を超えるのを抑制することができる。
【００１０】
また、前記規制突起の上端縁には、前記ストッパーが前記規制解除位置側から前記規制位置に到達するときに、前記係止突部が乗り越える第２乗り越え突起と、前記ストッパーが前記規制位置に位置するときに、前記係止突部が前記中心軸線回りにおける前記第２乗り越え突起の前記係止突部を挟んだ反対側から支持される第２支持突起と、が備えられていてもよい。
【００１１】
この場合、ストッパーを規制解除位置側から規制位置に到達させると、係止突部が第２乗り越え突起を乗り越えるため、使用者にストッパーが規制位置に到達したことを認識させやすくすることができるとともに、係止突部が第２支持突起に支持されるため、ストッパーが規制位置を超えるのを抑制することができる。
さらに、ストッパーが規制位置に位置するときに係止突部が第２乗り越え突起および第２支持突起に挟まれるため、不使用時にストッパーが不意に規制位置から規制解除位置に到達して内容物が吐出されてしまうのを抑止することができる。
【００１２】
また、前記ノズル筒部は、前記ステム側から前方に向けて突出し、その前端部に前記吐出孔が形成されていてもよい。
【００１３】
この場合、ノズル筒部が前方に向けて突出しているため、吐出ヘッドに外力が加わりやすくなっているものの、吐出ヘッドに下方に向けた外力が加わったとしても、ストッパーが規制位置に位置することで内容物が意図せずに吐出されることを抑制することができる。
【発明の効果】
【００１４】
本発明によれば、不使用時において内容物の吐出をより確実に防止することができる吐出器を提供することができる。
【図面の簡単な説明】
【００１５】
【図１】本実施形態の吐出器を示す軸方向断面図である。
【図２】図１に示す吐出器を前方から見た正面部分断面図である。
【図３】図１に示す吐出器を切断線Ｘ−Ｘにおいて切断し上方から見た断面図である。図３（ａ）は、ストッパーが規制解除位置に位置する状態を示す図である。図３（ｂ）は、ストッパーが規制位置に位置する状態を示す図である。
【図４】吐出器を示す図であって、図１に示す状態から押下部材を下方に回転させて吐出ヘッドを押下げた状態を示す軸方向断面図である。
【発明を実施するための形態】
【００１６】
以下、本発明に係る吐出器の実施形態について図面を参照して説明する。なお、以下の説明に用いる各図面では、各部材を認識可能な大きさとするために縮尺を適宜変更している。
【００１７】
図１に示すように、吐出器１は、図示しない内容物が収容された容器本体２の口部３に取り付けられる有頂円筒状の装着キャップ１１と、容器本体２の口部３に配設されると共に、内容物の吐出孔１３Ａが形成された吐出ヘッド１３を有するポンプ１４と、装着キャップ１１に立設された支持部１５と、支持部１５に回転軸Ｌ回りに回転自在に配設され、吐出ヘッド１３を押下げる押下部材（トリガー）１６と、を備えている。吐出ヘッド１３は、装着キャップ１１から容器本体２の反対側に向けて突出する円筒状のステム１２を備える。
【００１８】
装着キャップ１１およびステム１２は、それぞれの中心軸線が共通軸上に位置する状態で配設されている。以下、この共通軸を中心軸Ｏと称し、図１において中心軸Ｏに沿って容器本体２側からステム１２側に向かう方向を上方、その逆方向を下方とする。また、中心軸Ｏに沿う方向を上下方向という。また、上下方向から見た平面視で中心軸Ｏに直交する方向を径方向、中心軸Ｏ回りで周回する方向を周方向とする。
さらに、径方向のうち吐出ヘッド１３の吐出孔１３Ａが開口する方向を前方、その逆方向を後方とし、上下方向および前後方向に直交する方向を左右方向とする。
【００１９】
さらにこの吐出器１では、押下部材１６を回転軸Ｌ回りに下方に向けて回転させることにより、吐出ヘッド１３が下方移動し、内容物が吐出孔１３Ａから吐出される。なお、吐出ヘッド１３は、装着キャップ１１から上方に向けて突出する円筒状のステム１２と、ステム１２側から前方に向けて突出し、その前端部に上記吐出孔１３Ａが形成されたノズル筒部３２と、を備えている。
【００２０】
装着キャップ１１は、ポンプ１４を容器本体２の口部３に装着するためのキャップである。装着キャップ１１は、中央に開口部が形成された平面視円形状の天壁部２１および天壁部２１の外周縁から下方に向けて延設された円筒状の周壁部２２を有する本体筒１１ｂと、ステム１２を径方向の外側から囲む円筒状のガイド筒４５と、を有する。これら本体筒１１ｂ、およびガイド筒４５は、中心軸Ｏと同軸に配設されている。なお、本体筒１１ｂおよびガイド筒４５は一体に形成されてもよい。
周壁部２２の内周面には、容器本体２の口部３の外周面に形成された雄ネジに螺着する雌ネジが形成されている。なお、装着キャップ１１は、容器本体２の口部３に対して螺着される場合に限定されるものではなく、例えばアンダーカット嵌合により装着されていても構わない。
【００２１】
ポンプ１４は、口部３に上方付勢状態で下方移動自在に配設された吐出ヘッド１３と、吐出ヘッド１３のステム１２に連係された二重円筒状のピストン４１と、ピストン４１が上下摺動自在に収容された円筒状のシリンダ４２と、ステム１２から下方に向けて延設され、ピストン４１の内側を上下方向に貫く有底円筒状のピストンガイド４３と、シリンダ４２内に配設された球状の弁体４４と、を有する。
【００２２】
ステム１２は、ガイド筒４５の内側に上方付勢状態で上下移動自在に挿通されている。この際、ステム１２の上部は、ガイド筒４５よりも上方に向けて突出している。ステム１２の下部の内径および外径は、ステム１２の上部の内径および外径よりも大きい。また、ステム１２の上部と下部との間には、拡径部１２Ａが設けられており、段差が形成されている。
【００２３】
ステム１２の下端部には、比較的薄肉の円筒状の弾性部２５が形成されている。
弾性部２５には、上下方向に延在すると共に下方に開口するスリット状の切欠部２５Ａが周方向に間隔をあけて複数形成されている。なお、弾性部２５の下端開口縁は、径方向外側から内側に向かうにしたがって下方に向かうように傾斜している。
【００２４】
ヘッド本体３０は、ステム１２の上端部に装着された有頂円筒状の装着筒部３１と、装着筒部３１から前方に向けて突設された筒状のノズル筒部３２と、を有する。
装着筒部３１は、ステム１２内に嵌合されている。装着筒部３１の頂壁部に、上方に向けて被押下部１００が突設されている。被押下部１００は、装着筒部３１の頂壁部における左右方向の中央部に配設されている。被押下部１００は、表裏面が左右方向を向く板状に形成され、上端部は、左右方向から視て上方に突の曲線状に形成されている。被押下部１００は、押下部材１６に押下げられる部分である。
【００２５】
ノズル筒部３２内には、前後方向に延在する芯棒体３５と、芯棒体３５の前端部に被着された有頂円筒状のチップ３６と、が配設されている。
芯棒体３５の外周面には、ノズル筒部３２の内周面との間で内容物の流動を可能とする複数の流路溝部３５Ａが前後方向に亘って形成されている。
【００２６】
チップ３６は、芯棒体３５と同軸上に配設されており、内側に芯棒体３５が嵌合された円筒状のチップ筒部３７と、チップ筒部３７の前端部に設けられた端壁部３８と、を有する。
チップ筒部３７は、ノズル筒部３２内に嵌合されている。端壁部３８は、芯棒体３５の前端面に当接している。端壁部３８のうち芯棒体３５の前端面に当接する後面には、芯棒体３５の流路溝部３５Ａに連通するスピン流路３８Ａが形成されている。端壁部３８の中央部分には、スピン流路３８Ａに連通する吐出孔１３Ａが前方に向けて開口している。
チップ３６により、内容物を霧状に吐出することができる。また、チップ３６およびノズル先端形状等を変更することで、泡状および直線状等の吐出が可能となる。例えば、本実施形態のノズル先端にメッシュ等の発泡部材を設けることで、泡状吐出が可能となる。
【００２７】
ピストン４１は、円筒状の摺動部５１と、摺動部５１よりも径方向内側に配設された円筒状の閉塞部５２と、摺動部５１の上端および閉塞部５２の上下方向中間部を連結する平面視円環状の環状連結部５３と、を有する。これら摺動部５１、閉塞部５２および環状連結部５３は、中心軸Ｏと同軸に配設されている。
【００２８】
摺動部５１の下端部は、上方から下方に向かうにしたがって漸次径方向外側に向けて反るように湾曲している。これにより、摺動部５１の下端は、シリンダ４２の内周面に摺接している。
閉塞部５２の下端部は、上方から下方に向かうにしたがって漸次径方向内側に向けて反るように湾曲している。これにより、ピストンガイド４３の後述する底壁４３Ａ近傍に形成された当接部４３Ｅに当接している。閉塞部５２の上端部は、下方から上方に向かうにしたがって漸次径方向外側に向けて反るように湾曲しており、ステム１２の下部の内周面に摺接している。
環状連結部５３の上面は、径方向外側から内側に向かうにしたがって漸次下方に向かうように傾斜し、弾性部２５の下端開口縁を受ける受け面５３Ａとされている。
【００２９】
シリンダ４２は、フランジ状の支持板部６１と、支持板部６１から上方に向けて延設された円筒状の立上筒部６２と、支持板部６１の開口縁部から下方に向けて延設された円筒状の上筒部６３と、上筒部６３の下端から下方に向けて延設された円筒状の中筒部６４と、中筒部６４の下端から下方に向けてさらに延設された円筒状の下筒部６５と、を有する。これら支持板部６１、立上筒部６２、中筒部６４および下筒部６５は、中心軸Ｏと同軸に配設されている。
【００３０】
支持板部６１は、シリンダ４２の周壁部から径方向の外側に向けて突出し、口部３の上端開口縁上に配置されている。ガイド筒４５には、径方向の外側に向けて突出し、支持板部６１上に配置されるフランジ状の挟着板部４５ｃが形成されている。装着キャップ１１には、径方向の内側に向けて突出し、挟着板部４５ｃを支持板部６１との間で挟み込むフランジ状の押え板部１１Ａが形成されている。挟着板部４５ｃの外径は、支持板部６１の外径より小さい。また、押え板部１１Ａは、径方向の外側から内側に向かうに従い、漸次下方に向けて延びている。支持板部６１と口部３の上端開口縁との間には、環状の第１パッキン６６が介在されている。
【００３１】
立上筒部６２は、天壁部２１の開口部を通って上方に向けて立設されている。立上筒部６２には、径方向の外側に突設され、ガイド筒４５に形成された係合孔４５ｄに係合する係合突起６２Ａが設けられている。係合孔４５ｄおよび係合突起６２Ａは、周方向において複数設けられている。
上筒部６３の上端部には、上筒部６３の内外を連通させる空気孔６３Ａが形成されている。
【００３２】
中筒部６４は、上筒部６３の下端開口縁から下方に向けて延びる直筒部６７と、直筒部６７の下端から下方に向けて延在し、内径および外径が上方から下方に向かうにしたがって縮径するテーパ筒部６８と、を有する。
直筒部６７の内周面には、上下方向に延在し、径方向内側に向けて突出する複数の縦リブ部６７Ａが周方向に間隔をあけて配設されている。
【００３３】
テーパ筒部６８の内側には、弁体４４がテーパ筒部６８のテーパ面に離着自在に配設されている。
なお、弁体４４は、球状に形成された合成樹脂製のいわゆるボール弁とされている。弁体４４は、廃棄時における分別の手間を抑制する観点で合成樹脂製とすることが好ましい。また、弁体４４は、金属製等であってもよい。さらに、ボール弁に替わる種々の弁体を用いた逆止弁でもよい。
【００３４】
テーパ筒部６８の内周面には、径方向外側から内側に向かうにしたがって上方に向けて傾斜する規制突部６８Ａが突設されている。規制突部６８Ａの上端の内径は、弁体４４よりも小さくなっている。これにより、規制突部６８Ａは、弁体４４の上方への抜けを規制している。なお、規制突部６８Ａには、周方向の延在を中断する間隙が形成されている。
下筒部６５内には、パイプ２１３が嵌合されている。パイプ２１３の下端開口部は、容器本体２内の底部に向けて開口している。
【００３５】
ピストンガイド４３のうち、ピストン４１の閉塞部５２よりも下方に位置する底壁４３Ａは、この底壁４３Ａよりも上方に位置する周筒部に対して径方向外側に向けて突出する円板状に形成されている。
ピストンガイド４３における上記周筒部の下端部には、外径が底壁４３Ａの上面から上方に向かうにしたがって漸次縮径する当接部４３Ｅが形成されている。
【００３６】
ピストンガイド４３の上記周筒部には、ピストンガイド４３内とシリンダ４２内とを連通させる連通孔４３Ｂが形成されている。連通孔４３Ｂは、例えば中心軸Ｏを径方向で挟む両側に形成されている。連通孔４３Ｂは、当接部４３Ｅおよび閉塞部５２の下端よりも上方に位置しており、シリンダ４２の上筒部６３の内側との連通が遮断されている。
【００３７】
ピストンガイド４３の上記周筒部には、ピストンガイド４３内とシリンダ４２内とを連通させる貫通孔４３Ｃが形成されている。貫通孔４３Ｃは、連通孔４３Ｂと同様に、例えば中心軸Ｏを径方向で挟む両側に形成されている。貫通孔４３Ｃは、ステム１２の拡径部１２Ａにおける内周面に向けて開口している。貫通孔４３Ｃは、連通孔４３Ｂよりも上方に位置している。
ピストンガイド４３のうち貫通孔４３Ｃよりも上側に位置する部分は、ステム１２内に嵌合している。これにより、ピストンガイド４３は、ステム１２と共に一体に上下移動する。
【００３８】
ガイド筒４５は、中心軸Ｏと同軸に配置されている。ガイド筒４５は、シリンダ４２の立上筒部６２に外嵌された有頂筒状の嵌合筒部４５ｂと、嵌合筒部４５ｂから上方に向けて突出する規制突起４５１と、を有する。嵌合筒部４５ｂの頂壁部４５ｅにおける中央部には、ステム１２が下方移動自在に挿通された貫通孔が形成されている。頂壁部４５ｅにおける貫通孔の開口周縁部には、下方に突出する環状の突出部４５ｂ１が形成されている。突出部４５ｂ１の内径は、ステム１２の上部の外径より大きい。嵌合筒部４５ｂの頂壁部４５ｅとシリンダ４２との間には、環状の第２パッキン７６が介在している。
【００３９】
第２パッキン７６は、ガイド筒４５に形成された嵌合筒部４５ｂ内に嵌合されるとともに、下端開口縁がシリンダ４２の上端開口縁である立上筒部６２に当接する厚肉筒部７６Ａと、厚肉筒部７６Ａから径方向の内側に向けて突出し、ステム１２とガイド筒４５との間に形成された外気導入路Ｒとシリンダ４２内の上部空間との連通を遮断可能な薄肉弁体７６Ｂと、を備える。薄肉弁体７６Ｂは、厚肉筒部７６Ａの上下方向の中央に設けられている。
【００４０】
薄肉弁体７６Ｂの上面における内周縁部には、図示しない凹凸状の間隙形成部が形成されている。そして、ステム１２は、薄肉弁体７６Ｂ内に上下摺動自在に嵌合されている。
この構成によれば、ステム１２が上昇端位置より下方に位置しているときに、薄肉弁体７６Ｂが下方にめくれるように弾性変形することで、間隙形成部によりステム１２との間に形成される間隙を通して、外気導入路Ｒとシリンダ４２内の上部空間とが連通する。
【００４１】
厚肉筒部７６Ａの内周面における薄肉弁体７６Ｂとの接続部分には、径方向の外側に向けて窪む環状溝７６Ｃが全周に亘って形成されている。環状溝７６Ｃは、薄肉弁体７６Ｂにおける径方向の長さ、および厚肉筒部７６Ａの開口端部における径方向の長さの双方を確保するために形成されている。
【００４２】
規制突起４５１は、嵌合筒部４５ｂの頂壁部４５ｅから上方に向けて突出している。規制突起４５１は、頂壁部４５ｅにおける前記貫通孔の開口周縁部に配置されている。規制突起４５１の上端縁４５１ａには、下方に向けて窪む挿通孔４５１ｂ、４５１ｃが形成されている。規制突起４５１は、中心軸Ｏと同軸の円筒状に形成され、挿通孔４５１ｂ、４５１ｃは、規制突起４５１における上下方向の全長にわたって形成され、規制突起４５１を周方向に分断している。挿通孔４５１ｂ、４５１ｃは、規制突起４５１に２つ形成され、規制突起４５１における中心軸Ｏを径方向で挟む両側に１つずつ配置されている。２つの挿通孔４５１ｂ、４５１ｃの周方向における幅は互いに同等である。図示の例では、一方の挿通孔４５１ｂは規制突起４５１の前端部に形成され、他方の挿通孔４５１ｃは規制突起４５１の後端部に形成されている。
【００４３】
規制突起４５１における一方の挿通孔４５１ｂの開口周縁部には、前方に向けて突出する案内壁４５１ｈが各別に形成されている。案内壁４５１ｈは、規制突起４５１における上下方向の全長にわたって配置されている。案内壁４５１ｈは規制突起４５１の円筒部における外周面から径方向の外側に向けて延在し、案内壁４５１ｈの径方向における外側の端面の位置は嵌合筒部４５ｂの外周面の位置と同等である。案内壁４５１ｈの上端縁は規制突起４５１の上端縁４５１ａと面一に形成されている。
【００４４】
図３（ａ）、（ｂ）に示すように、規制突起４５１の上端縁４５１ａにおける、一方の挿通孔４５１ｂの開口周縁部には、上方に向けて突出する第１支持突起４５１ｄおよび第１乗り越え突起４５１ｅが形成されている。第１支持突起４５１ｄおよび第１乗り越え突起４５１ｅは、中心軸Ｏ回りに互いに対向している。第１支持突起４５１ｄと、第１乗り越え突起４５１ｅと、の周方向における間の距離は、挿通孔４５１ｂの周方向における幅と同等若しくはこれよりもわずかに大きい。
【００４５】
規制突起４５１の上端縁４５１ａにおいて、上面視における他方の挿通孔４５１ｃが形成された位置から中心軸Ｏを中心として時計回りに９０°回転した位置には、上方に向けて突出する第２乗り越え突起４５１ｆおよび第２支持突起４５１ｇが形成されている。第２乗り越え突起４５１ｆおよび第２支持突起４５１ｇは、中心軸Ｏ回りに互いに対向している。第２乗り越え突起４５１ｆと、第２支持突起４５１ｇと、の周方向における間の距離は、挿通孔４５１ｃの周方向における幅と同等若しくはこれよりもわずかに大きい。
規制突起４５１の上端縁４５１ａに備えられたこれらの突起は、後述するストッパー１３０の吐出ヘッド１３に対する中心軸Ｏ回りの回転を抑制するものである。
【００４６】
吐出ヘッド１３のうち装着キャップ１１から上方に突出した部分には、中心軸Ｏ回りに回転可能にストッパー１３０が設けられている。ストッパー１３０は、吐出ヘッド１３の下方移動を許容する規制解除位置（図１および図３（ａ）に示す位置）と、規制解除位置に対して中心軸Ｏ回りに上面視における反時計回りに９０°回転移動した、吐出ヘッド１３の下方移動を規制する規制位置（図３（ｂ）に示す位置）と、の間を中心軸Ｏ回りに回転自在に配設されている。
【００４７】
ストッパー１３０は、中心軸Ｏ回りに回転自在にステム１２に外嵌された外嵌筒部１３１と、外嵌筒部１３１から径方向の外側に向けて突出する係止突部１３２ａ、１３２ｂと、係止突部１３２ａからさらに径方向の外側に向けて突出する操作部１３３と、外嵌筒部１３１の上端部に形成されて径方向の内側に向けて突出する円環状の被挟持突起１３４と、外嵌筒部１３１の下端開口縁から下方に突出する被嵌合突起１３５と、を有する。
【００４８】
外嵌筒部１３１の内周面には不図示の凹凸部が形成されており、この凹凸部がステム１２の上端部における外周面に形成された不図示の凹凸部に係合し、これによってストッパー１３０とステム１２とは上下動不能となっている。なお、この構成に限られず、ストッパー１３０とステム１２とを上下動不能とする他の構成を用いてもよい。
【００４９】
係止突部１３２ａ、１３２ｂは２つ備えられ、外嵌筒部１３１の上下方向における中央部から下端にわたって形成されている。一方の係止突部１３２ａは、他方の係止突部１３２ｂの中心軸Ｏを挟んだ径方向における反対側に形成されている。一方の係止突部１３２ａの径方向における長さは案内壁４５１ｈの径方向における長さよりもわずかに大きい。他方の係止突部１３２ｂの径方向における長さは規制突起４５１の上端開口縁の肉厚と同等若しくはこれよりわずかに小さい。
２つの係止突部１３２ａ、１３２ｂの周方向における幅は互いに同等であり、かつ挿通孔４５１ｂ、４５１ｃの周方向における幅よりも若干小さい。
【００５０】
操作部１３３は、表裏面が周方向を向く平板状に形成されている。操作部１３３の周方向の厚さは、一方の係止突部１３２ａの周方向の厚さと同等になっている。操作部１３３は、一方の係止突部１３２ａから径方向の外側に突出し下方に向けて延在している。係止突部１３２ａの下端縁から操作部１３３の下端縁までの上下方向の長さは規制突起４５１の上下方向の長さよりもわずかに小さい。操作部１３３の下端縁の上下方向における位置は、頂壁部４５ｅの上端縁よりもわずかに上方に位置する。操作部１３３の上部における径方向の外端は、下方から上方に向かうに従い漸次径方向の内側に向けて延びる円弧形状に形成されている。操作部１３３は、ストッパー１３０を吐出ヘッド１３に対して中心軸Ｏ回りに回動させる際に使用者に把持される。
被挟持突起１３４は、装着筒部３１とノズル筒部３２との接続部と、ステム１２の上端開口縁と、によって上下に挟まれている。被嵌合突起１３５は、規制突起４５１の上端部内に挿入されている。
【００５１】
ストッパー１３０が図３（ａ）に示す規制解除位置にある場合には、２つの係止突部１３２ａ、１３２ｂがそれぞれ２つの挿通孔４５１ｂ、４５１ｃに上方から対向し、一方の係止突部１３２ａは第１乗り越え突起４５１ｅおよび第１支持突起４５１ｄに当接若しくは近接する。このとき、一方の係止突部１３２ａが、中心軸Ｏ回りにおける第１乗り越え突起４５１ｅの係止突部１３２ａを挟んだ反対側から第１支持突起４５１ｄに支持される。
ストッパー１３０が図３（ｂ）に示す規制位置にある場合には、２つの係止突部１３２ａ、１３２ｂがそれぞれ規制突起４５１の上端縁４５１ａに上方から当接若しくは近接し、一方の係止突部１３２ａは第２乗り越え突起４５１ｆおよび第２支持突起４５１ｇに当接若しくは近接する。このとき、一方の係止突部１３２ａが、中心軸Ｏ回りにおける第２乗り越え突起４５１ｆの係止突部１３２ａを挟んだ反対側から第２支持突起４５１ｇに支持される。
【００５２】
組立時には、ステム１２にストッパー１３０を上方からかぶせて、ストッパー１３０内にステム１２を嵌合させた後に、ヘッド本体３０の装着筒部３１をステム１２内にステム１２の上方から嵌合させる。このため、ストッパー１３０は、ヘッド本体３０とステム１２とにより上下方向に挟まれており、ストッパー１３０のヘッド本体３０およびステム１２に対する上下動が確実に規制される。
【００５３】
装着キャップ１１の後部に立設された支持部１５は、ガイド筒４５における嵌合筒部４５ｂから後方に向けて突設されており、左右方向に間隔をあけて配設された一対の側壁部７７と、側壁部７７の後端縁同士を左右方向に接続する後壁部７８と、を有する。支持部１５は押下部材１６を支持する。
【００５４】
側壁部７７は、前側から後側に向かうに従い漸次、上側に向けて延びている。側壁部７７の上端には、上方に向けて左右方向から見た正面視で半円状に突出した突出片８０がそれぞれ形成されている。これら突出片８０の外側面には、円柱状の軸体７７Ａが左右方向に沿って外向きに突設されている。軸体７７Ａは、ステム１２より後方に配置されている。
【００５５】
なお、軸体７７Ａの中心を通り、かつ左右方向に延びる仮想の軸線が押下部材１６の回転軸Ｌとなる。これにより、回転軸Ｌは、ステム１２より後方に配置されるとともに、上下方向および前後方向の双方と直交する左右方向に延びている。また、後壁部７８の内面には、突出片８０の内側に位置するように上方に向かって突出し、一対の側壁部７７の内面同士および突出片８０同士を左右方向に連結する補強壁７８ａが形成されている。
側壁部７７の外周縁のうち、前方を向く前端縁の下端部には、下方に向けて窪む支持凹部８１が形成されている。この支持凹部８１を利用して、後述する延在体９５が装着されている。
【００５６】
このように、支持部１５はガイド筒４５における嵌合筒部４５ｂの後部から上方かつ後方に向けて突設されているので、装着キャップ１１の後部に立設された状態で配置されている。なお、図示の例では、支持部１５をガイド筒４５における嵌合筒部４５ｂの後部から立設させたが、この場合に限定されるものではなく、例えば装着キャップ１１の後部から上方かつ後方に向けて突設させても構わない。
【００５７】
押下部材（トリガー）１６は、軸体７７Ａを介して支持部１５に取り付けられている。
これにより、押下部材１６は、支持部１５に対し回転軸Ｌ回りに回転可能（揺動可能）に連結されている。
押下部材１６は、吐出ヘッド１３を上方から覆う天板部９０と、天板部９０の前端縁から前方に向けて斜め下方に延在する前板部９１と、天板部９０の左右両側の側端縁から下方に向けて延在し、左右方向に向かい合う一対の側板部９２と、を有する。
そして、天板部９０と一対の側板部９２とで囲まれる内部空間に吐出ヘッド１３が配置されている。よって、一対の側板部９２は、吐出ヘッド１３を左右方向から挟むように配置されている。
【００５８】
天板部９０は、上方に向けて膨らむように滑らかに湾曲した形状とされ、その後端部は支持部１５における後壁部７８の上端開口縁に上方から接触している。これにより、押下部材１６は、回転軸Ｌを中心としたこれ以上の上方への回転が規制された状態で位置決めされている。
【００５９】
天板部９０の前側部分には、該天板部９０を貫通する第１貫通孔９３が形成されている。この第１貫通孔９３は、天板部９０における左右方向の中央部分に形成されていると共に、前方に開口するように形成されている。
これにより、天板部９０の前側部分は、左右方向に二股に分かれた形状とされている。
【００６０】
前板部９１は、二股に分かれた天板部９０の前端縁から前方に向けて斜め下方に延在している。この際、前板部９１の上側部分には、前板部９１を貫通すると共に上下方向に延在する第２貫通孔９４が形成されている。この第２貫通孔９４は、前板部９１の中央部分に形成されていると共に上方に開口しており、第１貫通孔９３に対して一体に繋がっている。
そして、第２貫通孔９４内にヘッド本体３０のノズル筒部３２が挿通されている。これにより、ノズル筒部３２は、第２貫通孔９４を通して前板部９１から突出している。なお、前板部９１の下側部分は、指先を掛けるための指掛部分とされている。
【００６１】
一対の側板部９２は、吐出ヘッド１３および支持部１５を左右方向に挟んでいる。一対の側板部９２の後部側の内面には、軸体７７Ａが挿通される軸孔部９２Ａが形成されている。これにより、押下部材１６は、軸体７７Ａ回り、すなわち回転軸Ｌ回りに回転可能に支持されている。
上述した押下部材１６は、付勢部材である延在体９５からの弾性力（ばね力）によって上方付勢されている。
延在体９５は合成樹脂製とされ、図示の例では長尺でかつ湾曲した弾性変形可能な柱状に形成されている。延在体９５は、押下部材１６の天板部９０の下方に配置されており、一端部９５ａが支持部１５に連結され、かつ他端部９５ｂが押下部材１６の内側に配設されている。
【００６２】
延在体９５は、一端部９５ａが他端部９５ｂに対して後方かつ下方に位置するように、長手方向の中間部分９５ｃが後方に向けて突となるように湾曲しており、押下部材１６における天板部９０の下方に配置されている。この際、延在体９５は、天板部９０における二股部分の下方に配置されるように、左右方向に間隔をあけて一対設けられている。
図示の例では、これら一対の延在体９５の一端部９５ａ同士は、左右方向に沿って延びる円柱状の連結体９６によって互いに連結されている。これにより、一対の延在体９５および連結体９６は１つのユニットとされている。
【００６３】
そして、支持部１５に形成された支持凹部８１内に、上記連結体９６が回転自在に支持されている。これにより、延在体９５の一端部９５ａは連結体９６を介して支持部１５に連結されている。延在体９５の他端部９５ｂは、天板部９０における二股部分の下面に対して下方から当接している。これにより、延在体９５の他端部９５ｂは、押下部材１６の内側に配設されている。
【００６４】
なお、延在体９５の一端部９５ａと支持部１５との連結、および延在体９５の他端部９５ｂと押下部材１６との連結は、上述の場合に限定されるものではなく、他の構成（方法）を採用しても良い。
例えば、延在体９５の一端部９５ａと支持部１５とが一体に形成されていても良いし、延在体９５の他端部９５ｂと押下部材１６とが一体に形成されていても良い。また、延在体９５の一端部９５ａを支持部１５に接着しても良いし、支持部１５に形成した孔に嵌合する等しても良い。さらに、延在体９５の他端部９５ｂを押下部材１６に接着しても良いし、押下部材１６に形成した孔に嵌合する等しても良い。
【００６５】
延在体９５の他端部９５ｂは、予め他端部９５ｂ側が下方に移動するように弾性変形した状態で、他端部９５ｂが天板部９０における二股部分の下面に対して下方から接触している。このため、通常時の場合であっても、延在体９５は弾性力（ばね力）を利用して押下部材１６を上方付勢している。
【００６６】
押下部材１６には、図２に示すように、吐出ヘッド１３に形成された被押下部１００の上端部を収容する窪み１０１が形成されている。
窪み１０１は、押下部材１６の天板部９０における左右方向の中央部に配設されている。窪み１０１は、被押下部１００の左右方向の厚みよりも僅かに大きい幅で形成されている。
【００６７】
窪み１０１は、図１に示すように、天板部９０に対して前後方向に一定の深さで形成されている。窪み１０１は、被押下部１００の上端部を前後方向に移動可能に収容する。窪み１０１は、天板部９０の下面に対して上方に窪んだ上面が、被押下部１００の上端部の上面に上方から面接触している。
【００６８】
これにより、押下部材１６を回転軸Ｌ回りに下方に回転させた際、窪み１０１を利用して被押下部１００を上方から押下させることが可能とされている。したがって、吐出ヘッド１３を下方移動させることができる。
なお、押下部材１６の下方への回転を解除した場合には、先に述べたように延在体９５が押下部材１６を上方付勢しているので、押下部材１６は回転軸Ｌ回りに上方に逆回転して、元の位置に復帰する。
【００６９】
ところで、押下部材１６には、該押下部材１６の下方への回転を解除した際、吐出ヘッド１３に形成された軸部１００Ａに係合し、吐出ヘッド１３を上方に復元移動させる係合溝１０２が形成されている。軸部１００Ａは、図２に示すように円柱状に形成され、装着筒部３１の上端部の左右の側面から一対の側板部９２に向けてそれぞれ突設されている。
【００７０】
係合溝１０２は、押下部材１６における一対の側板部９２の内面に吐出ヘッド１３に対して離間する方向に窪んでいる。係合溝１０２の下端外周面には、図２に示すように、下方に向かうに従って吐出ヘッド１３から離間する方向に傾斜する傾斜面１０２Ａが形成されている。一方、軸部１００Ａの上端には、上方に向かうに従って一対の側板部９２から離間する方向に傾斜する傾斜面１００Ａ１を有する。これにより、係合溝１０２に対し下方から軸部１００Ａを組み付け易くなる。
【００７１】
係合溝１０２は、軸部１００Ａよりも僅かに大きく、押下部材１６の上方への回転に伴って軸部１００Ａに対して下方から接触して、軸部１００Ａを上方に押上げる。これにより、吐出ヘッド１３を上方移動させることが可能となる。
【００７２】
次に、上述のように構成された吐出器１の使用方法について説明する。ストッパー１３０は、使用時には図３（ｂ）に示す規制位置から上面視において中心軸Ｏを中心に時計回りに９０°回転されて図３（ａ）に示す規制解除位置に移動される。詳しく説明すると、操作部１３３が把持されて中心軸Ｏ回りに回転させられ、ストッパー１３０が規制位置側から規制解除位置に到達するとき、一方の係止突部１３２ａが第１乗り越え突起４５１ｅを乗り越える。ストッパー１３０が規制位置に到達すると、２つの係止突部１３２ａ、１３２ｂがそれぞれ２つの挿通孔４５１ｂ、４５１ｃに上方から各別に対向する。これにより、ストッパー１３０の２つの係止突部１３２ａ、１３２ｂが２つの挿通孔４５１ｂ、４５１ｃにそれぞれ挿通可能となり、ストッパー１３０が容器本体２に対して下方移動可能となる。これにより吐出ヘッド１３の下方移動の規制が解除され、押下部材１６の下方への揺動が許容される。
【００７３】
その後、図４に示すように、押下部材１６を回転軸Ｌ回りに下方に向けて回転させる。この際、例えば押下部材１６の前板部９１の指掛部分に指先を掛けながら、延在体９５の付勢力に抗して押下部材１６を下方に向けて回転させる。押下部材１６を下方に向けて回転させると、吐出ヘッド１３がストッパー１３０とともに下方移動し、弁体４４によってシリンダ４２のテーパ筒部６８内を閉塞した状態で、ステム１２およびピストン４１をシリンダ４２に対して押し込んで、シリンダ４２内が正圧になる。すると、シリンダ４２内の内容液がステム１２内を上昇してノズル筒部３２内に導入され、吐出ヘッド１３の吐出孔１３Ａから吐出される。
【００７４】
詳しくは、シリンダ４２内が正圧になると、弾性部２５の自由端部がピストン４１の受け面５３Ａに沿って径方向内側に向けて反るように摺動しつつ、弾性部２５の上下方向の長さが短くなるように収縮変形する。また、吐出ヘッド１３およびピストンガイド４３は、ピストン４１に対して下方移動し始める。吐出ヘッド１３およびピストンガイド４３がピストン４１に対して下方に移動すると、ピストン４１の閉塞部５２の下端が、ピストンガイド４３の当接部４３Ｅから離間する。これにより、閉塞部５２の下端部とピストンガイド４３の外周面との間には、間隙が形成される。そのため、連通孔４３Ｂは、間隙を通してシリンダ４２の上筒部６３内に対して開放される。なお、連通孔４３Ｂがシリンダ４２の上筒部６３内に対して開放されるまで、上筒部６３の内圧はさらに上昇する。
【００７５】
これにより、上筒部６３内の内容物は、閉塞部５２の内周面とピストンガイド４３の外周面との間の間隙および連通孔４３Ｂを通ってピストンガイド４３内に流入する。さらに、上筒部６３内の内容物は、閉塞部５２の内周面とピストンガイド４３の外周面との間の間隙、ステム１２の下側部分および拡径部１２Ａの内周面とピストンガイド４３の外周面との間の間隙、並びに貫通孔４３Ｃを通ってピストンガイド４３内に流入する。
そして、ピストンガイド４３内に流入した内容物は、ステム１２の上側部分内を流動してノズル筒部３２に至り、ノズル筒部３２の吐出孔１３Ａから吐出される。この結果、容器本体２内に収容された内容物を、吐出孔１３Ａを通じて外部に吐出することができる。
【００７６】
その後、押下部材１６の把持を解除すると、ステム１２およびピストン４１が、延在体９５からの付勢力に基づいてシリンダ４２に対して復元移動する。このとき、シリンダ４２内が負圧になり、この負圧が、弁体４４に作用してテーパ筒部６８内を開放する。これにより、容器本体２内の内容液が、パイプ２１３を介してシリンダ４２内に流入する。
【００７７】
吐出ヘッド１３、ステム１２およびピストン４１をシリンダ４２に対して一体的に押下させると、シリンダ４２内のうちピストン４１より下方に位置する下部空間が加圧され、この下部空間内の内容物がステム１２内を上昇して吐出孔１３Ａから吐出される。この過程において、第２パッキン７６の薄肉弁体７６Ｂが外気導入路Ｒの下端開口を開放し、外気導入路Ｒとシリンダ４２内の上部空間とが連通し、外気がシリンダ４２内の上部空間内に導入される。
【００７８】
吐出ヘッド１３、ステム１２およびピストン４１の押下げを解除して、これらを上方に復元変位させると、シリンダ４２内の下部空間が負圧になり、容器本体２内の内容物がシリンダ４２内の下部空間内に導入される。この過程において、上部空間内の空気が圧縮される。上部空間内の空気は、空気孔６３Ａを介してシリンダ４２内の上部空間と容器本体２内とが連通することで、容器本体２内に導入される。
【００７９】
その後、ステム１２およびピストン４１が元の位置に戻ると、ピストン４１が空気孔６３Ａを閉塞し、外気導入路Ｒを通した容器本体２内と外部との連通が遮断される。
なお、吐出器１が倒立等しても、外気導入路Ｒとシリンダ４２内の上部空間との連通を遮断する第２パッキン７６が配設されているので、容器本体２内の内容部がシリンダ４２内の上部空間に到達しても、この内容物が外気導入路Ｒを通して外部に漏出することを防ぐことができる。
【００８０】
次に、流通時および不使用時において、押下部材１６が把持されていない場合には、延在体９５によって押下部材１６を介して吐出ヘッド１３が上方へ付勢される。そして、押下部材１６が支持部１５に当接して回転軸Ｌ回りの回転が規制され、ポンプ１４が停止状態になる。この状態で吐出器１から内容物が外部に吐出されないようにするためには、ストッパー１３０を図３（ａ）に示す規制解除位置から上面視において中心軸Ｏを中心に反時計回りに回転させて、図３（ｂ）に示す規制位置に移動させる。ストッパー１３０が規制位置に到達するとき、係止突部１３２ａが第２乗り越え突起４５１ｆを乗り越える。
ストッパー１３０が規制位置に到達すると、係止突部１３２ａ、１３２ｂがそれぞれ規制突起４５１の上端縁４５１ａに当接若しくは近接する。これによりストッパー１３０の下方移動が規制され、ストッパー１３０と上下動不能に嵌合しているステム１２の下方移動も規制される。従って、吐出ヘッド１３の下方移動が規制されて内容物が吐出孔１３Ａから吐出されなくなる。
【００８１】
なお、ストッパー１３０が規制位置に位置している状態で、吐出ヘッド１３に押下げ力が加わった場合には、押し下げ力はステム１２およびストッパー１３０を介して規制突起４５１に作用する。本実施形態では規制突起４５１は円筒状に形成されており、上下方向における剛性が高いため、吐出ヘッド１３が受ける力を十分に支えることができる。
【００８２】
以上説明したように、本実施形態の吐出器１によれば、ストッパー１３０を規制位置に移動させると、係止突部１３２ａ、１３２ｂが規制突起４５１の上端縁４５１ａに当接若しくは近接するので、ストッパー１３０の下方移動が規制される。これにより、ストッパー１３０が外嵌されている吐出ヘッド１３の下方移動も直接規制されるため、吐出ヘッド１３単体に力が加わっても内容物が吐出されることを抑制できる。一方、ストッパー１３０を規制解除位置に移動させると、係止突部１３２ａ、１３２ｂが挿通孔４５１ｂ、４５１ｃ内に挿通可能となり、ストッパー１３０および吐出ヘッド１３の下方移動が許容され、通常通りの使用が可能となる。また、ストッパー１３０が吐出ヘッド１３に対してステム１２の中心軸線Ｏ回りに回転自在に配設されているので、コンパクトかつ操作性に優れたストッパー１３０とすることができる。
【００８３】
また、例えばストッパーと吐出ヘッドが上下動可能な構成とすると、ストッパーが吐出ヘッドに対して上方に移動し、ストッパーが規制位置にある場合でも吐出ヘッドが下方に移動可能となって吐出孔から内容物が吐出されてしまう場合があった。
【００８４】
この問題に対して、本実施形態によれば、ストッパー１３０とステム１２が嵌合しているため、ストッパー１３０と吐出ヘッドの互いの上下方向の位置が固定され、ストッパー１３０の吐出ヘッド１３に対する上下動が抑えられている。従って、上記のようにストッパーが吐出ヘッドに対して上方に移動することによる、ストッパーが規制位置にある場合でも内容物が吐出されてしまう現象を抑止することができる。
さらに、ストッパー１３０の被挟持突起１３４が、装着筒部３１とノズル筒部３２の接続部およびステム１２の上端開口縁に、上下に挟まれている。このため、ヘッド本体３０とストッパー１３０との間、およびストッパー１３０とステム１２との間の相対的な上下動が規制され、漏れ防止を確実にすることができる。
【００８５】
また、本実施形態によれば、ストッパー１３０を規制位置側から規制解除位置に到達させると、係止突部１３２ａが規制突起４５１の上端縁４５１ａに備えられた第１乗り越え突起４５１ｅを乗り越えるため、使用者にストッパー１３０が規制解除位置に到達したことを認識させやすく、係止突部１３２ａが第１支持突起４５１ｄに支持されるため、ストッパー１３０が規制解除位置を超えるのを抑制することができる。
さらに、ストッパーが規制解除位置に位置するときには、係止突部１３２ａが中心軸Ｏ回りにおいて第１支持突起４５１ｄおよび第１乗り越え突起４５１ｅに挟まれ、使用時に不意にストッパー１３０が規制解除位置から回転してしまうのを抑止することができる。
【００８６】
また、本実施形態によれば、ストッパー１３０を規制解除位置側から規制位置に到達すると、係止突部１３２ａが規制突起４５１の上端縁４５１ａに備えられた第２乗り越え突起４５１ｆを乗り越えるため、使用者にストッパー１３０が規制位置に到達したことを認識させやすく、係止突部１３２ａが第２支持突起４５１ｇに支持されるため、ストッパー１３０が規制位置を超えるのを抑制することができる。
さらに、ストッパーが規制位置に位置するときに、係止突部１３２ａが第２乗り越え突起４５１ｆおよび第２支持突起４５１ｇに挟まれるため、不使用時にストッパーが不意に規制位置から規制解除位置に到達して内容物が吐出されてしまうのを抑止することができる。
【００８７】
さらに、本実施形態では、ストッパー１３０が規制位置にある場合、ステム１２に対して上下動不能なストッパー１３０が、規制突起４５１に当接若しくは近接するため、ノズル筒部３２に下方に向けた外力が加えられた場合、ステム１２を介してストッパー１３０が規制突起４５１に押し付けられ、ノズル筒部３２に加えられた外力を規制突起４５１で直接受けることができる。これにより、ノズル筒部３２に下方に向けた外力が加えられた場合に、ステム１２に対してヘッド本体３０が傾くことを抑制できる。したがって、ステム１２と装着筒部３１との間のシール性が低下することを抑制でき、内容物が外部に漏れだすことを抑制できる。
【００８８】
吐出ヘッド１３に外力が加えられる場合、吐出ヘッド１３のうちでも、特にノズル筒部３２に外力が加えられやすい。そのため、上述した本実施形態による作用効果を効果的に奏功させることができる。
【００８９】
また、本実施形態によれば、ストッパー１３０に上方に向けた外力が加わっても、ストッパー１３０の上端部がノズル筒部３２の下端部に当接するため、ストッパー１３０が上方に抜けることを防止することができる。
さらに、ストッパー１３０が規制位置に位置する場合には、ストッパー１３０に下方に向けた外力が加わっても、ストッパー１３０の２つの係止突部１３２ａ、１３２ｂが規制突起４５１の上端縁４５１ａに当接するため、ストッパー１３０の下方移動が規制される。
以上のことから、ストッパー１３０に外力が加わった場合でも、ストッパー１３０が吐出ヘッド１３に対して上下方向に移動するのを規制することができる。
また、ストッパー１３０が規制解除位置に位置する場合には、ストッパー１３０に下方に向けた外力を加えることにより、ストッパー１３０を介してステム１２を押し下げて、吐出ヘッド１３の全体を下方移動させることができる。
【００９０】
また、本実施形態によれば、ノズル筒部３２はステム１２側から前方に向けて突出しているために、吐出ヘッド１３に外力が加わりやすくなっているものの、吐出ヘッド１３に下方に向けた外力が加わったとしても、ストッパー１３０が規制位置に位置することで内容物が意図せずに吐出されることを抑制することができる。
【００９１】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００９２】
例えば、上記実施形態では、上端縁４５１ａに第１乗り越え突起４５１ｅ、第１支持突起４５１ｄ、第２乗り越え突起４５１ｆ、第２支持突起４５１ｇが形成されていると説明したが、上端縁４５１ａにこれらの突起が形成されていなくてもよい。あるいは、これらの突起のうちいずれか１つまたは複数の突起が形成されていてもよい。
【００９３】
また、例えば、上記実施形態では、ストッパー１３０は平板状の操作部１３３を備えると説明したが、これに限られず、操作部の形状を変更してもよい。あるいは、操作部１３３を設けず、例えば外嵌筒部１３１の外周面にローレット形状を形成してもよい。
【００９４】
また、例えば、上記実施形態では、ストッパー１３０が係止突部１３２ａ、１３２ｂを有すると説明したが、係止突部１３２ｂを有さないストッパー１３０を用いてもよい。このとき、規制突起４５１の上端縁４５１ａには挿通孔４５１ｃが形成されていなくてもよい。
【００９５】
また、例えば、上記実施形態では、支持部１５は装着キャップ１１の後部に立設されていると説明したが、これに限られず、支持部１５を他の部位に配設してもよい。
また、吐出孔１３Ａはノズル筒部３２の前端部に形成されていると説明したが、これに限られず、吐出孔１３Ａはノズル筒部３２の他の部位に形成されていてもよい。さらに、ノズル筒部３２はステム１２側から前方に向けて突出すると説明したが、これに限られず、ノズル筒部３２を他の部位に配設してもよい。
【００９６】
また、吐出器１は、下筒部６５の下端部に装着される正倒立両用アダプタを備えていてもよい。正倒立両用アダプタは、吐出器１の正立時および倒立時の双方において、吐出器１におけるシリンダ４２内が負圧となった際に、シリンダ４２内に内容液を供給する。この場合、パイプ２１３は正倒立両用アダプタに取り付けられる。
【００９７】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００９８】
１  吐出器
２  容器本体
３  口部
１１  装着キャップ
１２  ステム
１３  吐出ヘッド
１３Ａ  吐出孔
１４  ポンプ
１５  支持部
１６  押下部材
３０  ヘッド本体
３１  装着筒部
３２  ノズル筒部
１００  被押下部
１３０  ストッパー
１３１  外嵌筒部
１３２ａ、１３２ｂ  係止突部
４５１  規制突起
４５１ａ  上端縁
４５１ｂ、４５１ｃ  挿通孔
４５１ｄ  第１支持突起
４５１ｅ  第１乗り越え突起
４５１ｆ  第２乗り越え突起
４５１ｇ  第２支持突起
Ｌ  回転軸
Ｏ  中心軸
【図１】
0006554425.tif 000002
【図２】
0006554425.tif 000003
【図３】
0006554425.tif 000004
【図４】
0006554425.tif 000005